(57)【要約】【課題】口唇ケア製品をユーザの衣服に格納自在に緊定するために使用できる、新規の格納式アプリケータ・システムを提供する。【解決手段】本発明は、口唇ケア製品をユーザの衣服に格納自在に緊定するシステムであって、口唇ケア物質を収容してユーザの口唇に適用するアプリケータと、ユーザの身体から離れるアプリケータの選択的な動きを可能にする方式で、アプリケータをユーザの衣服に着脱自在に取り付ける格納装置アセンブリとを含む。【選択図】図１
2011161290.tif 000002
【特許請求の範囲】
【請求項１】
口唇ケア製品をユーザの衣服に格納自在に緊定するシステムであって、前記システムは、
中に内部スペースが形成され、口唇ケア物質を収容するアプリケータと、
前記ユーザの身体から離れる前記アプリケータの選択的な動きを可能にする方式で、前記アプリケータを前記ユーザの衣服に着脱自在に取り付ける格納装置アセンブリとを含み、
前記アプリケータは、第１端部にベース部分を含み、第２端部に分与部分を含み、前記内部スペースは、前記ベース部分から取り除くことができないようになっており、
前記格納装置アセンブリは、前記アプリケータの前記ベース部分に直接接続されており、前記アプリケータが前記格納装置アセンブリの下方に自由に吊り下げられたとき、前記ベース部分が、前記分与部分よりも前記格納装置アセンブリの近くに位置付けられ、前記分与部分が前記ベース部分よりも下方に位置付けられるようになっており、
前記ベース部分が、前記格納装置アセンブリを前記アプリケータに結合させるのを容易にする、前記ベース部分を貫いて延びるボアを画定しており、前記ボアが、前記ベース部分の長手軸に対してほぼ垂直に延びており、前記ベース部分が、前記ボアと前記内部スペースとの間の連通を阻止する、システム。
【請求項２】
前記ベース部分が、ベース壁と周囲壁とを含んでおり、前記周囲壁が、前記ベース壁からほぼ直角に延びており、前記ベース壁と前記周囲壁とが、前記内部スペースを画定する、請求項１に記載のシステム。
【請求項３】
前記分与部分が、前記ベース部分の前記内部から前記口唇ケア物質を分与する分与開口部を有する、請求項１に記載のシステム。
【請求項４】
前記アプリケータが、前記分与部分に着脱自在に結合されたキャップ部分を含んでおり、前記キャップ部分が前記分与部分の前記分与開口部を覆っているときには前記口唇ケア物質と前記ユーザの衣服との間の接触を妨げるように、前記キャップ部分が前記分与開口部を着脱自在に覆う、請求項３に記載のシステム。
【請求項５】
前記格納装置アセンブリがハウジングを含んでおり、前記ハウジングが、受入スペースと、前記ハウジングを貫いて延びる孔部とを画定しており、前記孔部が、前記ハウジングの前記受入スペースと連通している、請求項１に記載のシステム。
【請求項６】
前記ハウジングが不注意で前記ユーザの衣服に引っかかるのを防ぐために、前記ハウジングがほぼ円板形である、請求項５に記載のシステム。
【請求項７】
前記ハウジングが、後壁と、前壁と、外周壁とを含んでおり、前記外周壁が、前記前壁と前記後壁との間を延びており、前記孔部が、前記外周壁を貫いて延びる、請求項５に記載のシステム。
【請求項８】
前記ユーザによってひも部材が引かれたときに、前記ひも部材が前記受入スペースから前記ハウジングの前記孔部を通って延びることができる、請求項５に記載のシステム。
【請求項９】
前記格納装置アセンブリが、前記ハウジングの前記受入スペース内に位置決めされるように前記ハウジングに取り付けられた巻取枠を含んでおり、前記ひも部材が前記ユーザによって解放されたときには、前記巻取枠が前記ひも部材の一部分を前記受入スペース内へと引込める、請求項８に記載のシステム。
【請求項１０】
前記ユーザが前記アプリケータを所望の場所に導くことができるように、前記ひもが、かなり可撓性の高い材料を含む、請求項８に記載のシステム。
【請求項１１】
前記格納装置アセンブリが、前記ハウジングとは反対側で前記ひも部材に結合された緊定部材を含んでおり、前記緊定部材が、前記アプリケータを前記格納装置アセンブリに緊定するために前記アプリケータに着脱自在に結合される、請求項８に記載のシステム。
【請求項１２】
前記緊定部材が、前記アプリケータを前記ひも部材に緊定するために、前記アプリケータを貫いて延びるボア内を延びる平面部分を含む、請求項１１に記載のシステム。
【請求項１３】
前記平面部分が、前記アプリケータの前記ボアを通って曲がれるようになる可撓性材料の細片を含む、請求項１２に記載のシステム。
【請求項１４】
前記平面部分が近位端と遠位端とを有しており、前記近位端が前記ひも部材に結合されており、前記遠位端が、前記アプリケータを前記ひも部材に緊定するために、前記アプリケータの前記ボア内を延ばされて前記平面部分の中央部に緊定される、請求項１２に記載のシステム。
【請求項１５】
前記緊定部材が第１の留め具部分と第２の留め具部分とを含んでおり、前記第１の留め具部分が前記平面部分の前記遠位端に結合されており、前記第２の留め具部分が前記平面部分の前記中央部に結合されており、前記平面部分の前記遠位端を前記平面部分の前記中央部に緊定できるように、前記第１の留め具部分が前記第２の留め具部分に相補的である、請求項１４に記載のシステム。
【請求項１６】
前記緊定部材が、前記ひも部材に緊定された鎖を含んでおり、前記鎖が、前記アプリケータを前記ひも部材に緊定するために前記アプリケータの前記ベース壁に結合されている、請求項１１に記載のシステム。
【請求項１７】
前記格納装置アセンブリが、前記ハウジングに結合されたクリップ部材を含んでおり、前記クリップ部材が、前記格納装置アセンブリを前記ユーザに緊定するために、前記クリップ部材と前記ハウジングとの間で前記ユーザの衣服の一部分を圧迫する自己付勢型である、請求項５に記載のシステム。
【請求項１８】
口唇ケア製品をユーザの衣服に格納自在に緊定するシステムであって、前記システムは、
中に内部スペースが形成され、口唇ケア物質を収容するアプリケータを含んでおり、前記アプリケータが、
第１端部にベース部分を含み、第２端部に分与部分を含み、前記内部スペースは、前記ベース部分から取り除くことができないようになっており、前記ベース部分がベース壁と周囲壁とを含んでおり、前記周囲壁が前記ベース壁から延びており、前記ベース壁と前記周囲壁とが前記口唇ケア物質を受ける前記内部スペースを画定しており、
前記分与部分が、前記ベース部材の前記内部から前記口唇ケア物質を分与する分与開口部を有しており、前記アプリケータがさらに、
前記ベース壁とは反対側で前記周囲壁に着脱自在に結合されたキャップ部分を含んでおり、前記キャップ部分が前記分与部分の前記分与開口部を着脱自在に覆っており、
前記ベース部分が、前記ベース部分の長手軸に対してほぼ垂直に延びるように前記ベース部分を貫いて延びるボアを画定しており、前記ボアが前記分与開口部とは反対側に位置決めされており、前記ベース部分が前記ボアと前記内部スペースとの間の連通を阻止しており、前記システムがさらに、
前記ユーザの身体から離れる前記アプリケータの選択的な動きを可能にする方式で、前記アプリケータを前記ユーザの衣服に着脱自在に取り付ける格納装置アセンブリであって、前記格納装置アセンブリは、前記アプリケータの前記ベース部分に直接接続されており、前記アプリケータが前記格納装置アセンブリの下方に自由に吊り下げられたとき、前記ベース部分が、前記分与部分よりも前記格納装置アセンブリの近くに位置付けられ、前記分与部分が前記ベース部分よりも下方に位置付けられるようになっている、格納装置アセンブリを含んでおり、前記格納装置アセンブリが、
ハウジングを含んでおり、前記ハウジングが、受入スペースと、前記ハウジングを貫いて延びる孔部とを画定しており、前記孔部が前記ハウジングの前記受入スペースと連通しており、前記ハウジングがほぼ円板形であり、前記ハウジングが、後壁と、前壁と、外周壁とを含んでおり、前記外周壁が前記前壁と前記後壁との間を延びており、前記外周壁がほぼ環状であり、前記孔部が前記外周壁を貫いて延びており、前記格納装置アセンブリがさらに、
前記ハウジングの前記受入スペース内に位置決めされるように前記ハウジングに取り付けられた巻取枠を含んでおり、前記巻取枠が前記ハウジングの前記前壁と前記後壁との間に位置決めされており、前記格納装置アセンブリがさらに、
前記巻取枠に結合されたひも部材を含んでおり、前記ユーザによって前記ひも部材が引かれたときには、前記ひも部材が前記受入スペースから前記ハウジングの前記孔部を通って延びることができ、前記ひも部材が前記ユーザによって解放されたときには、前記巻取枠が前記ひも部材の一部分を前記受入スペース内へと引込め、前記ひもが、前記巻取枠への前記ひも部材の巻取りを容易にするためにかなり可撓性の高い材料を含んでおり、前記格納装置アセンブリがさらに、
前記ハウジングとは反対側で前記ひも部材に結合された緊定部材を含んでおり、前記緊定部材が、前記アプリケータを前記格納装置アセンブリに緊定するために前記アプリケータの前記ベース壁に直接的に着脱自在に結合されており、前記緊定部材が、前記アプリケータを前記ひも部材に緊定するために、前記アプリケータの前記ベース部分の前記ボア内を延びる平面部分を含んでおり、前記平面部分が、前記アプリケータの前記ボアを通って曲がれるようになる可撓性材料の細片を含んでおり、前記平面部分が近位端と遠位端とを有しており、前記近位端が前記ひも部材に結合されており、前記遠位端が、前記アプリケータを前記ひも部材に緊定するために、前記アプリケータの前記ボア内を延ばされて前記平面部分の中央部に緊定されており、前記緊定部材が第１の留め具部分と第２の留め具部分とを含んでおり、前記第１の留め具部分が前記平面部分の前記遠位端に結合されており、前記第２の留め具部分が前記平面部分の前記中央部に結合されており、前記平面部分の前記遠位端を前記平面部分の前記中央部に緊定できるように、前記第１の留め具部分が前記第２の留め具部分に相補的であり、前記格納装置アセンブリがさらに、
リール部材の前記ハウジングの前記後壁に結合されたクリップ部材を含んでおり、前記クリップ部材が、前記格納装置アセンブリを前記ユーザに緊定するために、前記クリップ部材と前記ハウジングの前記後壁との間で前記ユーザの衣服の一部分を圧迫する自己付勢型であり、前記クリップ部材が、前記ハウジングの前記外周壁の近くで前記後壁に結合された、前記後壁の上を後方に延びる第１の末端部分を含んでおり、前記クリップ部材が、前記第１の末端部分から前記外周壁とは反対側に延びる第２の末端部分を含んでおり、前記衣服を前記第２の末端部分と前記後壁との間に着脱自在に挿入して前記クリップ部材の前記第２の末端部分が前記衣服を前記後壁に当てて圧迫できるように、前記第２の末端部分が、前記第１の末端部分から前記後壁に向かってアーチ状に延び、次いで前記後壁から離れて前記第１の末端部分とは反対側にアーチ状に延びるシステム。
【発明の詳細な説明】
【技術分野】
【０００１】
本発明は、格納式物品ホルダに関し、より詳細には、口唇ケア製品をユーザの衣服に格納自在に緊定する新規の格納式アプリケータ・システムに関する。
【背景技術】
【０００２】
口唇ケア物質をユーザの口唇に適用するアプリケータの使用は、置き忘れられて紛失されやすく、したがってユーザにとっての価値を下げることが多い。格納装置アセンブリとアプリケータとを組み合わせることによって、ユーザは、容易にアプリケータを見つけて使用し、アプリケータが解放されたときには該アプリケータを既知の場所へと戻すことができる。従来技術には、格納式物品ホルダがあふれているが、格納装置アセンブリとアプリケータとの組合せが欠けている。
【発明の概要】
【発明が解決しようとする課題】
【０００３】
本発明は、口唇ケア製品をユーザの衣服に格納自在に緊定するために使用できる、新規の格納式アプリケータ・システムを提供する。
【課題を解決するための手段】
【０００４】
これを達成するために、本発明は、一般に、口唇ケア物質を収容してユーザの口唇に適用するアプリケータを含む。ユーザの身体から離れるアプリケータの選択的な動きを可能にする方式でアプリケータをユーザの衣服に着脱自在に取り付ける格納装置アセンブリが、アプリケータに結合される。
【０００５】
このように、以下の本発明の詳細な説明をより良く理解できるように、また当該技術分野に対する本発明の貢献をより正当に評価できるように、本発明のより重要な特徴についてかなり大まかに概説した。本発明には、以下で説明する、冒頭の特許請求の範囲の主題を成すさらなる特徴が存在する。
【０００６】
この点に関して、本発明の少なくとも１つの実施例を詳細に説明する前に、本発明が、その適用を、以下の説明で述べられ諸図面で図示される構造の詳細及び諸コンポーネントの配置だけに制限されないことを理解すべきである。本発明は、他の実施例が可能であり、様々な方法で実践且つ実施することができる。また、本明細書で使用される表現及び用語が、説明を目的としたものであって、制限的なものと見なすべきではないことを理解すべきである。
【０００７】
したがって、本開示が基礎とする概念を、本発明のいくつかの目的を果たす他の構造、方法、及びシステムの設計のための基礎として容易に使用できることが当業者には理解される。したがって、本発明の趣旨及び範囲から逸脱しない限り、特許請求の範囲がそのような等価の構造を含むと見なされることが重要である。
【０００８】
本発明の重要な１つの利点は、不注意によるアプリケータの紛失を防ぎながら必要なときにアプリケータを容易に見つけられるように、ユーザが口唇ケア物質のアプリケータを都合の良い場所に位置決めできるようにすることである。
【０００９】
本発明の他の利点は、本発明を特徴付ける新規性の様々な特徴とともに、本開示の一部を成す冒頭の特許請求の範囲で詳細に指摘される。本発明、その操作上の利点、及びその使用によって達成される特定の目的の理解を深めるには、本発明の好ましい諸実施例が示される添付図面及び記載事項を参照すべきである。
【００１０】
また、本明細書は下記の発明も開示している。
【００１１】
口唇ケア製品をユーザの衣服に格納自在に緊定するシステムであって、
口唇ケア物質を収容して前記ユーザの口唇に適用するアプリケータと、
前記ユーザの身体から離れる前記アプリケータの選択的な動きを可能にする方式で、前記アプリケータを前記ユーザの衣服に着脱自在に取り付ける格納装置アセンブリとを含むシステム。
【００１２】
前記アプリケータが、前記口唇ケア物質を収容するベース部分を含んでおり、前記ベース部分が、前記口唇ケア物質を受ける内部スペースを画定する、システム。
【００１３】
前記ベース部分が、ベース壁と周囲壁とを含んでおり、前記周囲壁が、前記ベース壁からほぼ直角に延びており、前記ベース壁と前記周囲壁とが、前記内部スペースを画定する、システム。
【００１４】
前記ベース部分が、前記ベース部材の前記内部から前記口唇ケア物質を分与する分与開口部を有する、システム。
【００１５】
前記アプリケータが、前記ベース部分に着脱自在に結合されたキャップ部分を含んでおり、前記キャップ部分が前記ベース部分の前記分与開口部を覆っているときには前記口唇ケア物質と前記ユーザの衣服との間の接触を妨げるように、前記キャップ部分が前記分与開口部を着脱自在に覆う、システム。
【００１６】
前記ベース部分が、前記格納装置アセンブリを前記アプリケータに結合させるのを容易にする、前記ベース部分を貫いて延びるボアを画定しており、前記ボアが、前記ベース部分の長手軸に対してほぼ垂直に延びており、前記ベース部分が、前記ボアと前記内部スペースとの間の連通を阻止する、システム。
【００１７】
前記格納装置アセンブリがハウジングを含んでおり、前記ハウジングが、受入スペースと、前記ハウジングを貫いて延びる孔部とを画定しており、前記孔部が、前記ハウジングの前記受入スペースと連通している、システム。
【００１８】
前記ハウジングが不注意で前記ユーザの衣服に引っかかるのを防ぐために、前記ハウジングがほぼ円板形である、システム。
【００１９】
前記ハウジングが、後壁と、前壁と、外周壁とを含んでおり、前記外周壁が、前記前壁と前記後壁との間を延びており、前記孔部が、前記外周壁を貫いて延びる、システム。
【００２０】
前記ユーザによってひも部材が引かれたときに、前記ひも部材が前記受入スペースから前記ハウジングの前記孔部を通って延びることができる、システム。
【００２１】
前記格納装置アセンブリが、前記ハウジングの前記受入スペース内に位置決めされるように前記ハウジングに取り付けられた巻取枠を含んでおり、前記ひも部材が前記ユーザによって解放されたときには、前記巻取枠が前記ひも部材の一部分を前記受入スペース内へと引込める、システム。
【００２２】
前記ユーザが前記アプリケータを所望の場所に導くことができるように、前記ひもが、かなり可撓性の高い材料を含む、システム。
【００２３】
前記格納装置アセンブリが、前記ハウジングとは反対側で前記ひも部材に結合された緊定部材を含んでおり、前記緊定部材が、前記アプリケータを前記格納装置アセンブリに緊定するために前記アプリケータに着脱自在に結合される、システム。
【００２４】
前記緊定部材が、前記アプリケータを前記ひも部材に緊定するために、前記アプリケータを貫いて延びるボア内を延びる平面部分を含む、システム。
【００２５】
前記平面部分が、前記アプリケータの前記ボアを通って曲がれるようになる可撓性材料の細片を含む、システム。
【００２６】
前記平面部分が近位端と遠位端とを有しており、前記近位端が前記ひも部材に結合されており、前記遠位端が、前記アプリケータを前記ひも部材に緊定するために、前記アプリケータの前記ボア内を延ばされて前記平面部分の中央部に緊定される、システム。
【００２７】
前記緊定部材が第１の留め具部分と第２の留め具部分とを含んでおり、前記第１の留め具部分が前記平面部分の前記遠位端に結合されており、前記第２の留め具部分が前記平面部分の前記中央部に結合されており、前記平面部分の前記遠位端を前記平面部分の前記中央部に緊定できるように、前記第１の留め具部分が前記第２の留め具部分に相補的である、システム。
【００２８】
前記緊定部材が、前記ひも部材に緊定された鎖を含んでおり、前記鎖が、前記アプリケータを前記ひも部材に緊定するために前記アプリケータの前記ベース壁に結合されている、システム。
【００２９】
前記格納装置アセンブリが、前記ハウジングに結合されたクリップ部材を含んでおり、前記クリップ部材が、前記格納装置アセンブリを前記ユーザに緊定するために、前記クリップ部材と前記ハウジングとの間で前記ユーザの衣服の一部分を圧迫する自己付勢型である、システム。
【００３０】
口唇ケア製品をユーザの衣服に格納自在に緊定するシステムであって、
口唇ケア物質を収容して前記ユーザの口唇に適用するアプリケータを含んでおり、前記アプリケータが、
前記口唇ケア物質を収容するベース部分を含んでおり、前記ベース部分がベース壁と周囲壁とを含んでおり、前記周囲壁が前記ベース壁からほぼ直角に延びており、前記ベース壁と前記周囲壁とが前記口唇ケア物質を受ける内部スペースを画定しており、
前記ベース部分が、前記ベース部材の前記内部から前記口唇ケア物質を分与する分与開口部を有しており、前記アプリケータがさらに、
前記ベース壁とは反対側で前記周囲壁に着脱自在に結合されたキャップ部分を含んでおり、前記キャップ部分が前記ベース部分の前記分与開口部を着脱自在に覆っており、
前記ベース部分が、前記ベース部分の長手軸に対してほぼ垂直に延びるように前記ベース部分を貫いて延びるボアを画定しており、前記ボアが前記分与開口部とは反対側に位置決めされており、前記ベース部分が前記ボアと前記内部スペースとの間の連通を阻止しており、前記システムがさらに、
前記ユーザの身体から離れる前記アプリケータの選択的な動きを可能にする方式で、前記アプリケータを前記ユーザの衣服に着脱自在に取り付ける格納装置アセンブリを含んでおり、前記格納装置アセンブリが、
ハウジングを含んでおり、前記ハウジングが、受入スペースと、前記ハウジングを貫いて延びる孔部とを画定しており、前記孔部が前記ハウジングの前記受入スペースと連通しており、前記ハウジングがほぼ円板形であり、前記ハウジングが、後壁と、前壁と、外周壁とを含んでおり、前記外周壁が前記前壁と前記後壁との間を延びており、前記外周壁がほぼ環状であり、前記孔部が前記外周壁を貫いて延びており、前記格納装置アセンブリがさらに、
前記ハウジングの前記受入スペース内に位置決めされるように前記ハウジングに取り付けられた巻取枠を含んでおり、前記巻取枠が前記ハウジングの前記前壁と前記後壁との間に位置決めされており、前記格納装置アセンブリがさらに、
前記巻取枠に結合されたひも部材を含んでおり、前記ユーザによって前記ひも部材が引かれたときには、前記ひも部材が前記受入スペースから前記ハウジングの前記孔部を通って延びることができ、前記ひも部材が前記ユーザによって解放されたときには、前記巻取枠が前記ひも部材の一部分を前記受入スペース内へと引込め、前記ひもが、前記巻取枠への前記ひも部材の巻取りを容易にするためにかなり可撓性の高い材料を含んでおり、前記格納装置アセンブリがさらに、
前記ハウジングとは反対側で前記ひも部材に結合された緊定部材を含んでおり、前記緊定部材が、前記アプリケータを前記格納装置アセンブリに緊定するために前記アプリケータの前記ベース部分に着脱自在に結合されており、前記緊定部材が、前記アプリケータを前記ひも部材に緊定するために、前記アプリケータの前記ベース部分の前記ボア内を延びる平面部分を含んでおり、前記平面部分が、前記アプリケータの前記ボアを通って曲がれるようになる可撓性材料の細片を含んでおり、前記平面部分が近位端と遠位端とを有しており、前記近位端が前記ひも部材に結合されており、前記遠位端が、前記アプリケータを前記ひも部材に緊定するために、前記アプリケータの前記ボア内を延ばされて前記平面部分の中央部に緊定されており、前記緊定部材が第１の留め具部分と第２の留め具部分とを含んでおり、前記第１の留め具部分が前記平面部分の前記遠位端に結合されており、前記第２の留め具部分が前記平面部分の前記中央部に結合されており、前記平面部分の前記遠位端を前記平面部分の前記中央部に緊定できるように、前記第１の留め具部分が前記第２の留め具部分に相補的であり、前記格納装置アセンブリがさらに、
リール部材の前記ハウジングの前記後壁に結合されたクリップ部材を含んでおり、前記クリップ部材が、前記格納装置アセンブリを前記ユーザに緊定するために、前記クリップ部材と前記ハウジングの前記後壁との間で前記ユーザの衣服の一部分を圧迫する自己付勢型であり、前記クリップ部材が、前記ハウジングの前記外周壁の近くで前記後壁に結合された、前記後壁の上を後方に延びる第１の末端部分を含んでおり、前記クリップ部材が、前記第１の末端部分から前記外周壁とは反対側に延びる第２の末端部分を含んでおり、前記衣服を前記第２の末端部分と前記後壁との間に着脱自在に挿入して前記クリップ部材の前記第２の末端部分が前記衣服を前記後壁に当てて圧迫できるように、前記第２の末端部分が、前記第１の末端部分から前記後壁に向かってアーチ状に延び、次いで前記後壁から離れて前記第１の末端部分とは反対側にアーチ状に延びるシステム。
【００３１】
以下の本発明の詳細な説明を考慮すれば、本発明がより深く理解され、本発明の目的がより明らかになる。かかる説明は、添付図面を参照する。
【図面の簡単な説明】
【００３２】
【図１】ハウジングからひもが延ばされた様子を示す、本発明による新規の格納式アプリケータ・システムの第１の実施例の斜視図である。
【図２】本発明の第２の実施例の側面図である。
【図３】本発明の第２の実施例の背面図である。
【図４】本発明の第１の実施例に類似した本発明の第３の実施例の斜視図である。
【実施例】
【００３３】
ここで、諸図面、特にその図１〜４を参照して、本発明の原理及び概念を具現化する、全体的に参照番号１０によって指定された新規の格納式アプリケータ・システムについて説明する。
【００３４】
図１〜４に最もよく示されるように、格納式アプリケータ・システム１０は、一般に、口唇ケア物質を収容してユーザの口唇に適用するアプリケータ１２と、該アプリケータ１２をユーザの衣服に着脱自在に取り付ける格納装置アセンブリ２８とを含む。
【００３５】
アプリケータ１２は、口唇ケア物質を収容するベース部分１４を含むことができる。ベース部分１４は、ベース壁１６と周囲壁１８とを含むことができる。図１に描かれた実施例では、周囲壁１８の一部分は、１つに集まってベース壁１６を形成する。図２及び図３の実施例では、ベース部分１４は、口唇ケア物質のための容器を形成しており、周囲壁１８は、やはり１つに集まってベース壁１６を形成する。図４の実施例では、周囲壁１８は、ベース壁１６からほぼ直角に延びる。ベース壁１６と周囲壁１８とは、口唇ケア物質を受ける内部スペース２０を画定する。図１の実施例では、内部スペースは、満たされた状態でベース部分に挿入され、空になったらベース部分から除去される口唇ケア物質容器１３（リップスティック・アプリケータに類似）の一部分を着脱自在に受ける。図２及び図４の実施例では、ベース部分は、それ自体が口唇ケア物質容器を形成しており、ベース部分１４は、ベース部材の内部からの口唇ケア物質の分与を可能にする分与開口部２２を有する。図２及び図３の実施例では、すべての口唇ケア物質が容器から取り除かれたときに単純にベース部分１４が格納装置アセンブリ２８から除去され、別の口唇ケア物質容器が格納アセンブリ上に取り付けられる。図４の実施例では、ベース部分１４は、また、口唇ケア物質のための容器を形成する。
【００３６】
アプリケータ１２は、ベース部分１４の周囲壁１８に着脱自在に結合された、ベース壁１６とは反対側のキャップ部分２４をさらに含むことができる。図１及び図２の実施例では、キャップ部分２４がベース部分１４の周囲壁１８に結合されたときには、内部からの口唇ケア物質の不注意による分与を防止するために、またさらに口唇ケア物質の乾燥を防ぐために、該キャップ部分２４がベース部分１４の分与開口部２２を着脱自在に覆う。
【００３７】
アプリケータ１２は、ベース部分１４を貫いて延びるボア２６を含むことができる。ボア２６は、ベース部分１４の長手軸に対してほぼ垂直に延びることができる。ボア２６は、分与開口部２２を有する端部とは反対側のベース部分１４の一端に位置決めすることができる。図２の実施例では、ボア２６は、口唇ケア物質容器自体に形成されており、ベース部分１４の周囲壁１８は、ボア２６の位置で周囲壁の対向する部分を接合するなどによって、ボア２６と内部スペース２０との間の連通を阻止するように構成される。
【００３８】
本発明の格納装置アセンブリ２８は、ユーザの身体上の衣服から離れるアプリケータ１２の選択的な動きを可能にする。
【００３９】
格納装置アセンブリ２８は、受入スペース３２を画定するハウジング３０を含むことができ、孔部３４が該ハウジング３０を貫いて延びている。孔部３４は、ハウジング３０の受入スペース３２及びハウジングの外部と連通している。一例として、ハウジング３０がユーザの衣服に引っかかるのを防ぐために、ハウジング３０をほぼ円板形とすることができるが、また、他の形状を使用することもできる。ハウジング３０は、後壁３６と、前壁３８と、前壁３８と後壁３６との間を延びる外周壁４０とを含むことができる。孔部３４は、外周壁４０内に配置され、外周壁４０を貫いて延びることができる。
【００４０】
格納装置アセンブリ２８は、ハウジング３０上に取り付けられた巻取枠４２をさらに含んでおり、該巻取枠４２がハウジング３０の受入スペース３２内に位置決めされる。巻取枠４２は、ハウジング３０の前壁３８と後壁３６との間に位置決めされる。
【００４１】
格納装置アセンブリ２８は、巻取枠４２に結合されたひも（ｌａｎｙａｒｄ）部材４４をさらに含むことができる。ひも部材４４がユーザによって引かれるときには、該ひも部材４４の一部分が、受入スペース３２からハウジング３０の孔部３４を通って延びることができる。巻取枠４２は、ひも部材４４がユーザによって解放されたときに、ひも部材４４の一部分を受入スペース３２内へと引込め、それによってひもに加わる引込み張力の程度を常に維持する。ひもは、巻取枠４２へのひも部材４４の巻取りを容易にするために、また、口唇ケア物質を適用するためにユーザがアプリケータ１２を所望の場所（口唇に隣接した場所など）に導くことができるように、かなり可撓性の高い材料を含むことができる。
【００４２】
格納装置アセンブリ２８は、ハウジング３０とは反対側でひも部材４４に結合された緊定部材４６をさらに含むことができる。緊定部材４６は、アプリケータ１２を格納装置アセンブリ２８に緊定するために、アプリケータ１２のベース部分１４に着脱自在に結合される。緊定部材４６は、アプリケータ１２をひも部材４４に緊定するために、アプリケータ１２のベース部分１４のボア２６内を延びるストラップ部分４８を含むことができる。ストラップ部分４８は、平面部分４８がアプリケータ１２のボア２６を通って曲がれるようになる、可撓性材料の細片を含むことができる。ストラップ部分４８は、近位端５０と遠位端５２とを有する。近位端５０は、ひも部材４４に結合される。遠位端５２は、アプリケータ１２をひも部材４４に緊定するために、アプリケータ１２のボア２６内を延ばされ、ストラップ部分４８の中央部５４に緊定される。緊定部材４６は、第１の留め具部分５６と第２の留め具部分５８とを含むことができる。第１の留め具部分５６は、ストラップ部分４８の遠位端５２に結合される。第２の留め具部分５８は、ストラップ部分４８の中央部５４に結合される。第１の留め具部分５６は、ストラップ部分４８の遠位端５２をストラップ部分４８の中央部５４に緊定できるように、第２の留め具部分５８に相補的である。
【００４３】
図４の実施例では、緊定部材４６は、ひも部材４４に緊定された鎖６０を含むことができる。鎖６０は、アプリケータ１２をひも部材４４に緊定するために、アプリケータ１２のベース壁１６と、ひも部材４４との間を延びる。確実に鎖６０がアプリケータ１２に緊定されるように、鎖６０を、ねじ若しくは接着剤（又は他の適当な留め具部材）でベース壁１６に結合させることができる。
【００４４】
格納装置アセンブリ２８は、リール部材のハウジング３０の後壁３６に結合されたクリップ部材６２をさらに含むことができる。クリップ部材６２は、格納装置アセンブリ２８をユーザに緊定するために、該クリップ部材６２とハウジング３０の後壁３６との間でユーザの衣服の一部分を圧迫又は挟持する、自己付勢型（ｓｅｌｆ−ｂｉａｓｉｎｇ）のものとすることができる。クリップ部材６２は、ハウジング３０の外周壁４０の近くで後壁３６に結合された、後壁３６の上を後方に延びる第１の末端部分６４を含むことができる。クリップ部材６２は、第１の末端部分６４から外周壁４０とは反対側に延びる、第２の末端部分６６を含むことができる。衣服を第２の末端部分６６と後壁３６との間に着脱自在に挿入して、クリップ部材６２の第２の末端部分６６が衣服を後壁３６に当てて圧迫できるように、第２の末端部分６６は、第１の末端部分６４から後壁３６に向かってアーチ状に延び、次いで後壁３６から離れて第１の末端部分６４とは反対側にアーチ状に延びる。
【００４５】
使用時には、ユーザは、格納装置アセンブリ２８を衣服に緊定するために、クリップ部材６２の第２の末端部分６６とハウジング３０の後壁３６との間に、ユーザが着用している衣服の一部分を挿入する。ユーザは、次いで、アプリケータ１２を把持し、ハウジング３０からひもを引き出して、アプリケータ１２を所望の場所に位置決めすることができる。次いで、口唇ケア物質を分与開口部２２から口唇へと分与できるように、キャップ部分２４を取り外すことができる。ユーザが口唇ケア物質の分与を終えたときには、キャップ部分２４は、アプリケータ１２のベース部分１４に戻される。次いで、ユーザは、アプリケータ１２を解放することができ、巻取枠４２は、ひもの一部分をハウジング３０内へと引込め、それによってアプリケータ１２をハウジング３０へと引き戻すことになるので、ユーザが口唇ケア製品を都合の良い場所に置けるようになる。
【００４６】
したがって、以上の説明に関して、サイズ、材料、形状、形態、機能及び操作方式、組立て、及び使用の多様性を含めるための本発明の諸部品についての最適な寸法関係が、以上の開示を踏まえれば当業者には容易に明白且つ自明であると考えられることを理解すべきであり、諸図面に示され明細書に記載されたものと同等の関係すべてが、本発明に包含されるものとする。
【００４７】
したがって、以上は、本発明の原理を説明するにすぎないものと見なされる。さらに、多数の修正及び変更が当業者には容易に思い浮かぶので、本発明をここに示し記載した正確な構造及び操作だけに制限することは望まれておらず、したがって、すべての適当な修正形態及び同等物を本発明の範囲内に入るものとして訴えることができる。
【図１】
2011161290.tif 000003
【図２】
2011161290.tif 000004
【図３】
2011161290.tif 000005
【図４】
2011161290.tif 000006